(57)【要約】      （修正有）【課題】短時間で蓋を閉じることができ、蓋が簡単に外れることが無く、蓋の天面をフラットにすることによって蓋の損傷事故を減らすとともに、箱の積み降ろしを迅速に行なうことができる段ボールケースを提供する。【解決手段】折り上げたときに蓋となる第１から第４の蓋面片３１〜３４を有する蓋部と、折り上げたときに底となる第１から第４の底面片を有する底部とを上下に連設した略長方形の１枚の段ボール紙から折り上げられる段ボールケースであって、第２と第３の蓋面片の間に第２の蓋面片に連設する第１の係止片５１と、第３の蓋面片及び第３の周壁片の連設部分に第１の係止片が挿入される第１の係合孔とを設けるとともに、周壁部の糊代片を蓋部側に延設し、延設した糊代片と第１の蓋面片の間に延設した糊代片に連設する第２の係止片５２と、第１の蓋面片及び第１の周壁片２１の連設部分に第２の係止片が挿入される第２の係合孔６２とを設けた。【選択図】図５
2010018304.tif 000002
【特許請求の範囲】
【請求項１】
折り上げたときに周壁となる第１から第４の周壁片及び糊代片を連設する周壁部を真中にして、折り上げたときに蓋となり切れ目を介して分割される第１から第４の蓋面片を有する蓋部と、折り上げたときに底となり切れ目を介して分割される第１から第４の底面片を有する底部とを上下に連設した略長方形の１枚の段ボール紙から折り上げられる段ボールケースであって、
前記第２と第３の蓋面片の間に前記第２の蓋面片に連設する第１の係止片と、前記第３の蓋面片及び第３の周壁片の連設部分に前記第１の係止片が挿入される第１の係合孔とを設けるとともに、前記周壁部の糊代片を前記蓋部側に延設し、前記延設した糊代片と前記第１の蓋面片の間に前記延設した糊代片に連設する第２の係止片と、第１の蓋面片及び第１の周壁片の連設部分に前記第２の係止片が挿入される第２の係合孔とを設けたことを特徴とする段ボールケース。
【請求項２】
前記第１の係止片に対向する前記第３の蓋面片のコーナーを角落ちし、前記第２の係止片に対向する前記第１の蓋面片のコーナーを角落ちしたことを特徴とする請求項１記載の段ボールケース。
【請求項３】
前記第１の係止片と前記第２の蓋面片の連設部分に前記第１の係合孔に係合して段ボールケースの蓋を係止する第１の係止溝を設け、前記第２の係止片と前記延設した糊代片の連設部分に前記第２の係合孔に係合して段ボールケースの蓋を係止する第２の係止溝を設けたことを特徴とする請求項１記載の段ボールケース。
【請求項４】
前記第１の係合孔の幅に沿って切り込まれ、前記第１の係合孔に挿入された前記第１の係止片を外側から覆う第１の覆い片を前記第３の周壁片に設け、第２の係合孔の幅に沿って切り込まれ、前記第２の係合孔に挿入された前記第２の係止片を外側から覆う第２の覆い片を前記第１の周壁片に設けたことを特徴とする請求項１乃至３記載の段ボールケース。
【発明の詳細な説明】
【技術分野】
【０００１】
本発明は、一枚の段ボールからほぼ直方体状に折り上げたワイヤレスの段ボールケースに関する。詳しくは、短時間で蓋を閉じることができ、一旦物を中に入れた後は、蓋が簡単に外れることが無く、また、蓋の天面をフラットにすることによって蓋の損傷事故を減らすとともに、箱の積み降ろしを迅速に行なうことができるワイヤレスの段ボールケースに関する。
【背景技術】
【０００２】
段ボールを折り上げる際、梱包後の姿勢を保持するにあたり、留め金具のワイヤを使用することが多い。一方、ワイヤを使用せず梱包の姿勢を保持するワイヤレス段ボールケースについては、既にいくつかの文献が開示されている。
【０００３】
その中の一つに、本件出願人は、以下に説明するようなワイヤレス段ボールケースの提案をしている。即ち、複数の蓋面片が連設された蓋部、複数の周壁面が連設された周壁部および複数の底面片が連設された底部を上下に連設した１枚の段ボールから、ほぼ直方体の箱状に折り上げられる段ボールケースであって、折り上げる手順は、先ず、周壁面を折り上げて周壁部を箱状となし、次に、底面片を折り曲げて底部を形成する。最後に、係止片が連設された蓋面片から折り曲げ、蓋面片の角を直前に折り曲げた蓋面片の角に被せるように、蓋面片を時計廻りに順次折り曲げ、最初に折り曲げた蓋面片に連設された係止片を周壁面の切込み穴からケースの内方へ折り曲げて蓋面片を係止するように構成されている（特許文献１）。
【０００４】
【特許文献１】特開２００５−３３５７１２号公報
【発明の開示】
【発明が解決しようとする課題】
【０００５】
しかしながら、上記の特許文献１の提案では、次のような問題を抱えていた。即ち、この段ボールケースは、大根、白菜等の比較的重量のある青果物を入れる容器に適している。青果物が満載された段ボールケースが青果市場に運び込まれ、山積みされた状態で保管される。この青果物を小売市場に卸すために山積みされた段ボールケースを上から順番に引っ張り出して積み降ろしを行なう。
【０００６】
ところが、この段ボールケースの蓋を閉じるにあたり、蓋面片を時計廻りに順次折り曲げているので、蓋を閉じるのに時間がかかり、また、蓋の天面がフラットでないため、段ボールケースを引っ張り出す際に、引っ張り出す段ボールケースの底が、その下に置かれた段ボールケースの蓋に引っ掛かり、蓋が破れて損傷する事故が発生することがあった。
【０００７】
本発明は、上記の問題に鑑みてなされたものであり、短時間で蓋を閉じることができ、一旦、青果物を中に入れた後は、蓋が簡単に外れることが無く、しかも、蓋の天面をフラットにすることによって蓋の損傷事故を減らすとともに、箱の積み降ろしを迅速に行なうことができる段ボールケースを提供することを目的とする。
【課題を解決するための手段】
【０００８】
上記目的を達成するため、請求項１の段ボールケースは、折り上げたときに周壁となる第１から第４の周壁片及び糊代片を連設する周壁部を真中にして、折り上げたときに蓋となり切れ目を介して分割される第１から第４の蓋面片を有する蓋部と、折り上げたときに底となり切れ目を介して分割される第１から第４の底面片を有する底部とを上下に連設した略長方形の１枚の段ボール紙から折り上げられる段ボールケースであって、
第２と第３の蓋面片の間に第２の蓋面片に連設する第１の係止片と、第３の蓋面片及び第３の周壁片の連設部分に第１の係止片が挿入される第１の係合孔とを設けるとともに、周壁部の糊代片を蓋部側に延設し、延設した糊代片と第１の蓋面片の間に延設した糊代片に連設する第２の係止片と、第１の蓋面片及び第１の周壁片の連設部分に第２の係止片が挿入される第２の係合孔とを設けたことを特徴とするものである。
【０００９】
また、請求項２の段ボールケースは、請求項１記載の段ボールケースであって、第１の係止片に対向する第３の蓋面片のコーナーを角落ちし、第２の係止片に対向する第１の蓋面片のコーナーを角落ちしたことを特徴とするものである。
【００１０】
また、請求項３の段ボールケースは、請求項１記載の段ボールケースであって、第１の係止片と第２の蓋面片の連設部分に第１の係合孔に係合して段ボールケースの蓋を係止する第１の係止溝を設け、第２の係止片と延設した糊代片の連設部分に第２の係合孔に係合して段ボールケースの蓋を係止する第２の係止溝を設けたことを特徴とするものである。
【００１１】
また、請求項４の段ボールケースは、請求項１乃至３記載の段ボールケースであって、第１の係合孔の幅に沿って切り込まれ、第１の係合孔に挿入された第１の係止片を外側から覆う第１の覆い片を第３の周壁片に設け、第２の係合孔の幅に沿って切り込まれ、第２の係合孔に挿入された第２の係止片を外側から覆う第２の覆い片を第１の周壁片に設けたことを特徴とするものである。
【発明の効果】
【００１２】
請求項１記載の段ボールケースによれば、折り上げたときに周壁となる第１から第４の周壁片及び糊代片を連設する周壁部を真中にして、折り上げたときに蓋となり切れ目を介して分割される第１から第４の蓋面片を有する蓋部と、折り上げたときに底となり切れ目を介して分割される第１から第４の底面片を有する底部とを上下に連設した略長方形の１枚の段ボール紙から折り上げられる段ボールケースであって、第２と第３の蓋面片の間に第２の蓋面片に連設する第１の係止片と、第３の蓋面片及び第３の周壁片の連設部分に第１の係止片が挿入される第１の係合孔とを設けるとともに、周壁部の糊代片を蓋部側に延設し、延設した糊代片と第１の蓋面片の間に延設した糊代片に連設する第２の係止片と、第１の蓋面片及び第１の周壁片の連設部分に第２の係止片が挿入される第２の係合孔とを設けたので、短時間で蓋を閉じることができ、一旦、青果物を中に入れた後は、蓋が簡単に外れないようにすることができる。
【００１３】
また、請求項２記載の段ボールケースによれば、第１の係止片に対向する第３の蓋面片のコーナーを角落ちし、第２の係止片に対向する第１の蓋面片のコーナーを角落ちしたので、角落ちしたコーナーに第１の係止片及び第２の係止片を設けることができる。
【００１４】
また、請求項３記載の段ボールケースによれば、第１の係止片と第２の蓋面片の連設部分に第１の係合孔に係合して段ボールケースの蓋を係止する第１の係止溝を設け、第２の係止片と延設した糊代片の連設部分に第２の係合孔に係合して段ボールケースの蓋を係止する第２の係止溝を設けたので、一旦、青果物を中に入れた後は、蓋が簡単に外れないようにすることができる。
【００１５】
また、請求項４記載の段ボールケースによれば、第１の係合孔の幅に沿って切り込まれ、第１の係合孔に挿入された第１の係止片を外側から覆う第１の覆い片を第３の周壁片に設け、第２の係合孔の幅に沿って切り込まれ、第２の係合孔に挿入された第２の係止片を外側から覆う第２の覆い片を第１の周壁片に設けたので、一旦、青果物を中に入れた後は、蓋が簡単に外れないようにすることができる。
【００１６】
このように、本発明によれば、短時間で蓋を閉じることができ、一旦、青果物を中に入れた後は、蓋が簡単に外れることが無く、しかも、蓋の天面をフラットにすることによって蓋の損傷事故を減らすとともに、箱の積み降ろしを迅速に行なうことができる。
【発明を実施するための最良の形態】
【００１７】
本発明の実施の形態を、添付図面に例示した本発明の実施例に基づいて以下に具体的に説明する。
【実施例】
【００１８】
先ず、本発明の実施例について、図１〜図８を参照しながら説明する。図１は本発明の段ボールケースを展開した段ボール紙の展開図である。図２は段ボールケースの底部を閉じる途中段階で、相対する一方の底面片を折り曲げた状態の斜視図である。図３は同じく底部を閉じた状態の斜視図である。図４は段ボールケースの蓋を閉じる途中段階で、相対する一方の蓋面片を折り曲げた状態の斜視図である。図５は同じく蓋を閉じる途中段階で、相対する一方及び他方の蓋面片を折り曲げた状態の斜視図である。図６は同じく蓋を閉じる途中段階で、係止片と係止溝の係合状態の拡大斜視図である。図７は同じく第１の係止位置で蓋を閉じた状態の斜視図である。図８は同じく第２の係止位置で蓋を閉じた状態の斜視図である。
【００１９】
図１に示すように、１０は略長方形の段ボール紙であり、周壁部２０を真中にして、その上には、左右方向の折り目Ａを介して蓋部３０が連設される。周壁部２０の下には、左右方向の折り目Ｂを介して底部４０が連設される。
【００２０】
周壁部２０は、第１から第４の周壁片２１、２２、２３、２４及び糊代片２５からなり、第１の周壁片２１と第２の周壁片２２が上下方向の折り目Ｃを介して連設され、第２の周壁片２２と第３の周壁片２３が上下方向の折り目Ｄを介して連設され、第３の周壁片２３と第４の周壁片２４が上下方向の折り目Ｅを介して連設される。更に、糊代片２５と第１の周壁片２１が上下方向の折り目Ｆを介して連設される。第１の周壁片２１及び第３の周壁片２３には指孔２６を備える。
【００２１】
蓋部３０は、第１の蓋面片３１、第２の蓋面片３２、第３の蓋面片３３、第４の蓋面片３４からなり、切れ目を介してそれぞれ分割され、更に、糊代片３５が、周壁部２０の糊代片２５に延設する形で連設される。
【００２２】
第２の蓋面片３２と第３の蓋面片３３の間には、第１の係止片５１が第２の蓋面片３２側に連設され、糊代片３５と第１の蓋面片３１の間には、第２の係止片５２が糊代片３５側に連設される。
【００２３】
この第１の係止片５１は第１の主係止片５１ａ及び第１の副係止片５１ｂからなり、第１の主係止片５１ａは折り目Ｇ１を介して第２の蓋面片３２に連設され、第１の副係止片５１ｂは折り目Ｈ１を介して第１の主係止片５１ａに連設される。折り目Ｇ１の一端は第１の主係止溝５１ｃ、折り目Ｈ１の一端は第１の副係止溝５１ｄが設けられる。
【００２４】
第２の係止片５２も同様に第２の主係止片５２ａ及び第２の副係止片５２ｂからなり、第２の主係止片５２ａは折り目Ｇ２を介して糊代片３５に連設され、第２の副係止片５２ｂは折り目Ｈ２を介して第２の主係止片５２ａに連設される。折り目Ｇ２の一端は第２の主係止溝５２ｃ、折り目Ｈ２の一端は第２の副係止溝５２ｄが設けられる。
【００２５】
一方、第１の係止片５１に対向する第３の蓋面片３３のコーナー３３ａは角落ちされている。同様に、第２の係止片５２に対向する第１の蓋面片３１のコーナー３１ａも角落ちされている。
【００２６】
その角落ちされた第３の蓋面片３３と第３の周壁片２３の連設部分には、第１の係合孔６１が設けられ、第１の主係止片５１ａと第２の蓋面片３２の連設部分の折り目Ｇ１の一端に設けられた第１の主係止溝５１ｃと係合して段ボールケースの蓋３となる第２の蓋面片３２を係止する。
【００２７】
同様に、角落ちされた第１の蓋面片３１と第１の周壁片２１の連設部分にも、第２の係合孔６２が設けられ、第２の主係止片５２ａと延設した糊代片３５の連設部分の折り目Ｇ２の一端に設けられた第２の主係止溝５２ｃと係合して段ボールケースの蓋３となる第４の蓋面片３４を係止する。
【００２８】
第３の周壁片２３には、第１の係合孔６１の幅に沿って切り込まれた第１の覆い片７１が設けられ、第１の係合孔６１に挿入された第１の係止片５１を外側から覆うようにしている。同様に、第１の周壁片２１にも、第２の係合孔６２の幅に沿って切り込まれた第２の覆い片７２が設けられ、第２の係合孔６２に挿入された第２の係止片５２を外側から覆うようにしている。
【００２９】
底部４０は、第１の底面片４１、第２の底面片４２、第３の底面片４３、第４の底面片４４からなり、切れ目を介してそれぞれ分割される。
【００３０】
第１の底面片４１は、第１の上底面片４１ａと第１の下底面片４１ｂが左右方向の折り目Ｊを介して連設され、同様に、第３の底面片４３も第３の上底面片４３ａと第３の下底面片４３ｂが左右方向の折り目Ｋを介して連設される。
【００３１】
又、第１の下底面片４１ｂは、折り目Ｊの直下の両側に溝４１ｃ、４１ｄが設けられ、下方は中央部分が台形状に切除されることにより両側に係止片４１ｅ、４１ｆが設けられる。同様に、第３の下底面片４３ｂも、折り目Ｋの直下の両側に溝４３ｃ、４３ｄが設けられ、下方は中央部分が台形状に切除されることにより両側に係止片４３ｅ、４３ｆが設けられる。
【００３２】
第２の底面片４２は、左右に２個の舌片４５、４６を備え、舌片４５、４６は、折り目Ｌの位置から、連続する切れ目Ｘ、Ｙ、Ｚに沿って段ボールケース１の内方へ折れ曲がる。舌片４５の輪郭は、直角を挟む直線状の二辺及び凹状曲線の斜辺からなる直角三角形をほぼかたどり、折り目Ｌと切れ目Ｘが直角を挟む直線状の二辺とされ、切れ目Ｚが斜辺とされる。舌片４６の輪郭も同様であるが、舌片４５と対称の位置に置かれる。
【００３３】
又、第４の底面片４４も左右に２個の舌片４７、４８を備え、舌片４７、４８も同様に、折り目Ｌの位置から、連続する切れ目Ｘ、Ｙ、Ｚに沿って段ボールケース１の内方へ折れ曲がり、舌片４５、４６と同じような輪郭及び位置である。
【００３４】
そして、舌片４５が切れ目Ｘ、Ｙ、Ｚに沿って段ボールケース１ケースの内方へ折れ曲がった跡の先端部には係止孔４９が形成される。舌片４６、４７、４８も同様に係止孔４９が形成される。又、第２の底面片４２には嵌合凹部５０ｕを、第４の底面片４４には嵌合凸部５０ｐを備える。
【００３５】
段ボール紙１０は以上の構成であり、以下、この段ボール紙１０から段ボールケース１へと折り上げる手順について説明する。
【００３６】
先ず、周壁部２０から折り上げる。折り目Ｃ〜Ｆの位置から、第１の周壁片２１、第２の周壁片２２、第３の周壁片２３、第４の周壁片２４を四角に囲うように折り曲げ、最後に糊代片２５を第４の周壁片２４の内側に糊付けすることにより周壁部２０の折り上げが完了する。又、このとき同時に、周壁部２０の糊代片２５に延設する形で連設される糊代片３５を、折り目Ａを介して第４の周壁片２４に連設される第４の蓋面片３４の内側に糊付けする。
【００３７】
次に、底部４０を上にして折り上げる。第２の底面片４２を折り目Ｂの位置から内方へ９０度以上折り曲げ、次に、対向側から第４の底面片４４を折り目Ｂの位置から内方へ９０度以上折り曲げながら嵌合凸部５０ｐを嵌合凹部５０ｕに嵌入させるようにして戻すと、図２に示すように、底部４０の中央部が傾斜して凹んだ状態になる。
【００３８】
続いて、第１の底面片４１を折り目Ｂの位置から内方へ折り曲げ、更に、第１の下底面片４１ｂの両側に設けられた係止片４１ｅ、４１ｆを折り目Ｊの位置から山形状に折りながら第４の底面片４４の他方の舌片４８及び第２の底面片４２の一方の舌片４５の内方へ嵌入する。この時、係止片４１ｅ、４１ｆは、他方の舌片４８及び一方の舌片４５の上をケースの内方へ滑りながら嵌入し、遂には、係止片４１ｅ、４１ｆの先端が係止孔４９にぶつかり係止する。
【００３９】
第３の底面片４３についても同様に折り目Ｂの位置から内方へ折り曲げ、更に、第３の下底面片４３ｂの両側に設けられた係止片４３ｅ、４３ｆを折り目Ｋの位置から山形状に折りながら第２の底面片４２の他方の舌片４６及び第４の底面片４４の一方の舌片４７の内方へ嵌入する。この時、係止片４３ｅ、４３ｆは、他方の舌片４６及び一方の舌片４７の上をケースの内方へ滑りながら嵌入し、遂には、係止片４３ｅ、４３ｆの先端が係止孔４９にぶつかり係止する。このようにして第１の底面片４１、第２の底面片４２、第３の底面片４３、第４の底面片４４を折り上げて底部４０を閉じた状態を図３に示す。
【００４０】
最後に、蓋部３０を折り上げる。先ず、図４に示すように、第３の蓋面片３３を折り目Ａの位置から内方へ折り曲げ、次に、相対する第１の蓋面片３１を折り目Ａの位置から内方へ折り曲げる。
【００４１】
続いて、図５に示すように、糊代片３５により第２の係止片５２が糊付けされた第４の蓋面片３４を折り目Ａの位置から山形状に折り上げ、第２の係止片５２を第１の蓋面片３１と第１の周壁片２１の連設部分に設けられた第２の係合孔６２に挿入する。即ち、図６に示すように、第２の係止片５２を構成する第２の主係止片５２ａを折り目Ｇ２の位置から山形状に折り上げ、第２の係合孔６２の幅に沿って切り込まれた第２の覆い片７２を内側に押し込みながら第２の係合孔６２に挿入する。そして、内側に押し込まれた第２の覆い片７２を元に戻し、第２の係合孔６２を外側から覆う。
【００４２】
同様にして、図５の一部に示すように、第１の係止片５１が連設された第２の蓋面片３２を折り目Ａの位置から山形状に折り上げ、第１の係止片５１を第３の蓋面片３３と第３の周壁片２３の連設部分に設けられた第１の係合孔６１に挿入する。即ち、第１の係止片５１を構成する第１の主係止片５１ａを折り目Ｇ１の位置から山形状に折り上げ、第１の係合孔６１の幅に沿って切り込まれた第１の覆い片７１を内側に押し込みながら第１の係合孔６１に挿入する。そして、内側に押し込まれた第１の覆い片７１を元に戻し、第１の係合孔６１を外側から覆う。
【００４３】
なお、第４の蓋面片３４及び第２の蓋面片３２を折り上げて蓋を閉じる係止位置は２通りあり、第１の係止位置で蓋を閉じた状態は、図７に示すように、第２の係止片５２を第２の係合孔６２に挿入する際、第２の主係止片５２ａと糊代片３５を連設する折り目Ｇ２の一端に設けられた第２の主係止溝５２ｃと第２の係合孔６２が係合して係止する位置である。
【００４４】
また、第２の係止位置で蓋を閉じた状態は、図８に示すように、第２の係止片５２を第２の係合孔６２に挿入する際、第２の副係止片５２ｂと第２の主係止片５２ａを連設する折り目Ｈ２の一端に設けられた第２の副係止溝５２ｄと第２の係合孔６２が係合して係止する位置である。
【００４５】
以上のようにして段ボール紙１０から折り上げられた段ボールケース１の作用について説明する。前述したように、先ず周壁部２０から折り上げて糊代片２５を第４の周壁片２４の内側に糊付けする。続いて底部４０を構成する第２の底面片４２、第４の底面片４４を折り曲げて係合し、更に、その上から第１の底面片４１、第３の底面片４３を係合する。
【００４６】
その作用を詳述するに、第１の底面片４１を折り目Ｂの位置から内方へ折り曲げ、更に、第１の下底面片４１ｂの両側に設けられた係止片４１ｅ、４１ｆを折り目Ｊの位置から山形状に折りながら第４の底面片４４の他方の舌片４８及び第２の底面片４２の一方の舌片４５の内方へ嵌入する。この時、係止片４１ｅ、４１ｆは、他方の舌片４８及び一方の舌片４５の上をケースの内方へ滑りながら嵌入し、遂には、係止片４１ｅ、４１ｆの先端が係止孔４９にぶつかり係止する。
【００４７】
第３の底面片４３についても同様に折り目Ｂの位置から内方へ折り曲げ、更に、第３の下底面片４３ｂの両側に設けられた係止片４３ｅ、４３ｆを折り目Ｋの位置から山形状に折りながら第２の底面片４２の他方の舌片４６及び第４の底面片４４の一方の舌片４７の内方へ嵌入する。この時、係止片４３ｅ、４３ｆは、他方の舌片４６及び一方の舌片４７の上をケースの内方へ滑りながら嵌入し、遂には、係止片４３ｅ、４３ｆの先端が係止孔４９にぶつかり係止する。このようにして周壁部２０及び底部４０を折り上げて作られた段ボールケース１の中に青果物を入れて蓋部３０を閉じる。
【００４８】
蓋部３０を閉じるにあたっては、先ず、第１の蓋面片３１と相対する第３の蓋面片３３を折り曲げ、続いて、第２の蓋面片３２と相対する第４の蓋面片３４を折り曲げるだけであるので、短時間で蓋３を閉じることができる。
【００４９】
更に、蓋部３０は、第２の蓋面片３２に連設された第１の係止片５１を第１の係合孔６１に挿入し、第４の蓋面片３４に糊付けされた第２の係止片５２を第２の係合孔６２に挿入して蓋部３０を係止する。蓋部３０は第１の係止片５１と第１の係合孔６１及び第２の係止片５２と第２の係合孔６２の２箇所で係止されているので、蓋３が簡単に外れることはない。
【００５０】
この青果物が満載された段ボールケース１が青果市場に運び込まれ、山積みされた状態で保管される。この青果物を小売市場に卸すために山積みされた段ボールケース１の指孔３６に指を入れて上から順番に引っ張り出して積み降ろしを行なう。この場合、段ボールケース１の蓋３は、引っ張り出す方向に沿った第２の蓋面片３２と相対する第４の蓋面片３４が折り曲げられ、蓋の天面がフラットにされているので、上に積み上げられた段ボールケース１を引っ張り出すときに、引っ掛かる部分がなく、蓋の損傷事故を減らすとともに、箱の積み降ろしを迅速に行なうことができる。
【００５１】
なお、段ボールケース１に青果物を詰める際に、余裕をもって詰める場合は、図７に示すように、第１の係止位置で蓋を閉じることができる。また、段ボールケース１の容量以上に大きな野菜等を詰める場合は、図８に示すように、第２の係止位置で蓋を閉じることができる。
【００５２】
このように、第１、第２の係止位置を使い分けることによって、大根等個々に生育の大きさが異なる青果物を複数個入れても蓋をケースの外へ拡開させて係止できる構成であるので、青果物の大きさに応じて蓋部を二段階に係止することができる。
【００５３】
以上説明したように、本発明によれば、短時間で蓋を閉じることができ、一旦、青果物を中に入れた後は、蓋が簡単に外れることが無く、しかも、蓋の天面をフラットにすることによって蓋の損傷事故を減らすとともに、箱の積み降ろしを迅速に行なうことができる。
【００５４】
又、積み降ろし作業中に第１の係止片５１又は第２の係止片５２がちぎれて蓋が閉じられなくなったときは、従前のように、蓋面片を時計廻りに順次折り曲げて蓋を閉じることになるが、その場合に、最初に折り曲げた蓋面片と最後に折り曲げた蓋面片とをロックし易くするために、予めアジャスターロック部を追加形成した他の実施例について説明する。
【００５５】
図９はアジャスターロック部を追加形成した段ボールケースを展開した段ボール紙の展開図である。図１０はアジャスターロック部を用いて蓋を閉じた状態の斜視図である。
【００５６】
図１に示した段ボール紙の展開図と異なるところは、第１の蓋面片３１の角落ちされたコーナー３１ａの反対側と第２の蓋面片３２とが相対する箇所にアジャスターロック部ＡＪを追加形成した点である。
【００５７】
それにより、積み降ろし作業中に第１の係止片５１又は第２の係止片５２がちぎれて蓋が閉じられなくなった場合、第２の蓋面片３２から折り始め、第３の蓋面片３３、第４の蓋面片３４と順次時計廻りに折り曲げ、最後に第１の蓋面片３１を折り曲げる。そして図１０に示すように、最後に折り曲げた第１の蓋面片３１と最初に折り曲げた第２の蓋面片３２とをアジャスターロック部ＡＪによりロックすれば、従前に比べてロックし易くなり、第１の係止片５１又は第２の係止片５２がちぎれて蓋が閉じられなくなった不具合を解消することができる。
【図面の簡単な説明】
【００５８】
【図１】本発明の段ボールケースを展開した段ボール紙の展開図を示す。
【図２】同上、底部を閉じる途中段階で、相対する一方の底面片を折り曲げた状態の斜視図を示す。
【図３】同上、底部を閉じた状態の斜視図を示す。
【図４】同上、蓋を閉じる途中段階で、相対する一方の蓋面片を折り曲げた状態の斜視図を示す。
【図５】同上、蓋を閉じる途中段階で、相対する一方及び他方の蓋面片を折り曲げた状態の斜視図を示す。
【図６】同上、蓋を閉じる途中段階で、係止片と係止溝の係合状態の拡大斜視図を示す。
【図７】同上、第１の係止位置で蓋を閉じた状態の斜視図を示す。
【図８】同上、第２の係止位置で蓋を閉じた状態の斜視図を示す。
【図９】アジャスターロック部を追加した段ボールケースを展開した段ボール紙の展開図を示す。
【図１０】同上、アジャスターロック部を用いて蓋を閉じた状態の斜視図を示す。
【符号の説明】
【００５９】
１  段ボールケース
２  周壁
３  蓋
４  底
１０  段ボール紙
２０  周壁部
２１  第１の周壁片
２２  第２の周壁片
２３  第３の周壁片
２４  第４の周壁片
２５  糊代片
３０  蓋部
３１  第１の蓋面片
３２  第２の蓋面片
３３  第３の蓋面片
３４  第４の蓋面片
３５  延設した糊代片
４０  底部
４１  第１の底面片
４２  第２の底面片
４３  第３の底面片
４４  第４の底面片
５１  第１の係止片
５１ｃ  第１の係止溝
５２  第２の係止片
５２ｃ  第２の係止溝
６１  第１の係合孔
６２  第２の係合孔
７１  第１の覆い片
７２  第２の覆い片
【図１】
2010018304.tif 000003
【図２】
2010018304.tif 000004
【図３】
2010018304.tif 000005
【図４】
2010018304.tif 000006
【図５】
2010018304.tif 000007
【図６】
2010018304.tif 000008
【図７】
2010018304.tif 000009
【図８】
2010018304.tif 000010
【図９】
2010018304.tif 000011
【図１０】
2010018304.tif 000012